(57)【要約】【構成】スルー画像は、前処理回路２２，後処理回路３０の処理を経て、ＬＣＤドライバ３４によってＬＣＤモニタ３６に表示される。また、アイコンは、グラフィックジェネレータ３２およびＬＣＤＬＣＤモニタ３４によってＬＣＤＬＣＤモニタ３６に表示される。ＣＰＵ４４は、ＬＣＤモニタ３６の画面の近傍に操作者の指が存在するか否かをスルー画像の表示処理に関連して繰り返し判別し、肯定的な判別結果に基づいてアイコンを表示する一方、否定的な判別結果に基づいてアイコンの表示を停止する。ＣＰＵ４４はまた、表示されたアイコンへのタッチ操作を受け付け、このタッチ操作に従う態様でズーム倍率を変更する。【効果】スルー画像の視認性の向上と操作性の向上とが両立される。【選択図】図２
2012108838.tif 000002
【特許請求の範囲】
【請求項１】
第１画像を画面に表示する第１表示手段、
第２画像を前記画面に表示する第２表示手段、
前記画面の近傍に物体が存在するか否かを繰り返し判別する判別手段、
前記判別手段の肯定的な判別結果に基づいて、前記第２画像を表示し、
前記判別手段の否定的な判別結果に基づいて、前記第２画像を非表示にし、
前記第２画像の表示に関連して前記画面へのタッチ操作を受け付ける受け付け手段、および
前記受け付け手段によって受け付けられたタッチ操作の態様に応じて異なる処理を実行する処理手段を備える、表示制御装置。
【請求項２】
被写界を捉える撮像手段をさらに備え、
前記第１表示手段によって表示される第１画像は前記撮像手段によって捉えられた被写界を表す画像に相当する、請求項１記載の表示制御装置。
【請求項３】
前記第２表示手段によって表示される第２画像は撮像設定のためのキャラクタ画像に相当する、請求項２記載の表示制御装置。
【請求項４】
前記判別手段の否定的な判別結果が継続する期間を測定する測定手段をさらに備え、
前記測定手段によって測定された期間が閾値に達した時点で前記第２画像を非表示にするようにした、請求項１ないし３のいずれかに記載の表示制御装置。
【請求項５】
第１画像を画面に表示する第１表示手段、および第２画像を前記画面に表示する第２表示手段を備える表示制御装置のプロセッサに、
前記画面の近傍に物体が存在するか否かを繰り返し判別する判別ステップ、
前記判別ステップの肯定的な判別結果に基づいて前記第２画像を表示する表示ステップ、
前記判別ステップの否定的な判別結果に基づいて前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを実行させるための、表示制御プログラム。
【請求項６】
第１画像を画面に表示する第１表示手段、および第２画像を前記画面に表示する第２表示手段を備える表示制御装置によって実行される表示制御方法であって、
前記画面の近傍に物体が存在するか否かを繰り返し判別する判別ステップ、
前記判別ステップの肯定的な判別結果に基づいて前記第２画像を表示する表示ステップ、
前記判別ステップの否定的な判別結果に基づいて前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを備える、表示制御方法。
【請求項７】
第１画像を画面に表示する第１表示手段、
第２画像を前記画面に表示する第２表示手段、および
メモリに保存された内部制御プログラムに従う処理を実行するプロセッサを備える表示制御装置に供給される外部制御プログラムであって、
前記画面の近傍に物体が存在するか否かを繰り返し判別する判別ステップ、
前記判別ステップの肯定的な判別結果に基づいて前記第２画像を表示する表示ステップ、
前記判別ステップの否定的な判別結果に基づいて前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを前記内部制御プログラムと協働して前記プロセッサに実行させるための、外部制御プログラム。
【請求項８】
第１画像を画面に表示する第１表示手段、
第２画像を前記画面に表示する第２表示手段、
外部制御プログラムを取り込む取り込み手段、および
前記取り込み手段によって取り込まれた外部制御プログラムとメモリに保存された内部制御プログラムに従う処理を実行するプロセッサを備える表示制御装置であって、
前記外部制御プログラムは、
前記画面の近傍に物体が存在するか否かを繰り返し判別する判別ステップ、
前記判別ステップの肯定的な判別結果に基づいて前記第２画像を表示する表示ステップ、
前記判別ステップの否定的な判別結果に基づいて前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを前記内部制御プログラムと協働して実行するプログラムに相当する、表示制御装置。
【発明の詳細な説明】
【技術分野】
【０００１】
この発明は、表示制御装置に関し、特に物体の位置に応じて異なるように画像表示を制御する、表示制御装置に関する。
【背景技術】
【０００２】
この種の装置の一例が、特許文献１に開示されている。この背景技術によれば、遊技客がトイレに設けられた便器の前に存在するか否かは、赤外線反射センサによって判別される。遊技客が便器の前に居ないときは、一般ＴＶの放映画面のみが無音状態で放映される。遊技客が便器の前に立つと、放映画面が中断され、宣伝情報に相当する画像および音声が出力される。これによって、遊技客に効率良く情報を伝達できる。
【先行技術文献】
【特許文献】
【０００３】
【特許文献１】特開２００８−６７７２９号公報
【発明の概要】
【発明が解決しようとする課題】
【０００４】
しかし、背景技術では、タッチ操作のためのアイコンが画面に表示されることはなく、画面に対するタッチによって動作が変化することもない。かかる点で、背景技術では動作性能に限界がある。
【０００５】
それゆえに、この発明の主たる目的は、動作性能を高めることができる、表示制御装置を提供することである。
【課題を解決するための手段】
【０００６】
この発明に従う表示制御装置(10：実施例で相当する参照符号。以下同じ)は、第１画像を画面に表示する第１表示手段(22, 30, 34)、第２画像を画面に表示する第２表示手段(32, 34)、画面の近傍に物体が存在するか否かを繰り返し判別する判別手段(S5)、判別手段の肯定的な判別結果に基づいて、第２画像を表示し、判別手段の否定的な判別結果に基づいて、第２画像を非表示にし、第２画像の表示に関連して画面へのタッチ操作を受け付ける受け付け手段(S41~S43)、および受け付け手段によって受け付けられたタッチ操作の態様に応じて異なる処理を実行する処理手段(S45)を備える。
【０００７】
好ましくは、被写界を捉える撮像手段(18)がさらに備えられ、第１表示手段によって表示される第１画像は撮像手段によって捉えられた被写界を表す画像に相当する。
【０００８】
さらに好ましくは、第２表示手段によって表示される第２画像は撮像設定のためのキャラクタ画像に相当する。
【０００９】
好ましくは、判別手段の否定的な判別結果が継続する期間を測定する測定手段(44t, S15)がさらに備えられ、第２画像は測定手段によって測定された期間が閾値に達した時点で非表示とされる。
【００１０】
この発明に従う表示制御プログラムは、第１画像を画面に表示する第１表示手段(22, 30, 34)、および第２画像を画面に表示する第２表示手段(32, 34)を備える表示制御装置(10)のプロセッサ(44)に、画面の近傍に物体が存在するか否かを繰り返し判別する判別ステップ(S5)、判別ステップの肯定的な判別結果に基づいて第２画像を表示する表示ステップ(S9)、判別ステップの否定的な判別結果に基づいて第２画像を非表示とする非表示ステップ(S17, S19)、第２画像の表示に関連して画面へのタッチ操作を受け付ける受け付けステップ(S41~S43)、および受け付けステップによって受け付けられたタッチ操作の態様に応じて異なる処理を実行する処理ステップ(S45)を実行させるための、表示制御プログラムである。
【００１１】
この発明に従う表示制御方法は、第１画像を画面に表示する第１表示手段(22, 30, 34)、および第２画像を画面に表示する第２表示手段(32, 34)を備える表示制御装置(10)によって実行される表示制御方法であって、画面の近傍に物体が存在するか否かを繰り返し判別する判別ステップ(S5)、判別ステップの肯定的な判別結果に基づいて第２画像を表示する表示ステップ(S9)、判別ステップの否定的な判別結果に基づいて第２画像を非表示とする非表示ステップ(S17, S19)、第２画像の表示に関連して画面へのタッチ操作を受け付ける受け付けステップ(S41~S43)、および受け付けステップによって受け付けられたタッチ操作の態様に応じて異なる処理を実行する処理ステップ(S45)を備える。
【００１２】
この発明に従う外部制御プログラムは、第１画像を画面に表示する第１表示手段(22, 30, 34)、第２画像を画面に表示する第２表示手段(32, 34)、およびメモリ(50)に保存された内部制御プログラムに従う処理を実行するプロセッサ(44)を備える表示制御装置(10)に供給される外部制御プログラムであって、画面の近傍に物体が存在するか否かを繰り返し判別する判別ステップ(S5)、判別ステップの肯定的な判別結果に基づいて第２画像を表示する表示ステップ(S9)、判別ステップの否定的な判別結果に基づいて第２画像を非表示とする非表示ステップ(S17, S19)、第２画像の表示に関連して画面へのタッチ操作を受け付ける受け付けステップ(S41~S43)、および受け付けステップによって受け付けられたタッチ操作の態様に応じて異なる処理を実行する処理ステップ(S45)を内部制御プログラムと協働してプロセッサに実行させるための、外部制御プログラムである。
【００１３】
この発明に従う表示制御装置(10)は、第１画像を画面に表示する第１表示手段(22, 30, 34)、第２画像を画面に表示する第２表示手段(32, 34)、外部制御プログラムを取り込む取り込み手段(52)、および取り込み手段によって取り込まれた外部制御プログラムとメモリ(50)に保存された内部制御プログラムに従う処理を実行するプロセッサ(44)を備える表示制御装置であって、外部制御プログラムは、画面の近傍に物体が存在するか否かを繰り返し判別する判別ステップ(S5)、判別ステップの肯定的な判別結果に基づいて第２画像を表示する表示ステップ(S9)、判別ステップの否定的な判別結果に基づいて第２画像を非表示とする非表示ステップ(S17, S19)、第２画像の表示に関連して画面へのタッチ操作を受け付ける受け付けステップ(S41~S43)、および受け付けステップによって受け付けられたタッチ操作の態様に応じて異なる処理を実行する処理ステップ(S45)を内部制御プログラムと協働して実行するプログラムに相当する。
【発明の効果】
【００１４】
この発明によれば、画面から物体が離れている間は、第１画像および第２画像のうち第１画像のみが画面に表示される。これによって、第１画像の視認性が向上する。画面に物体が近づくと、第１画像および第２画像の両方が画面に表示され、第２画像を参照したタッチ操作が可能となる。これによって操作性が向上する。つまり、画面と物体との距離関係に応じて画面の表示態様を変更することで第１画像の視認性の向上と操作性の向上との両立が可能となり、これによって動作性能の向上が図られる。
【００１５】
この発明の上述の目的，その他の目的，特徴および利点は、図面を参照して行う以下の実施例の詳細な説明から一層明らかとなろう。
【図面の簡単な説明】
【００１６】
【図１】この発明の一実施例の基本的構成を示すブロック図である。
【図２】この発明の一実施例の構成を示すブロック図である。
【図３】撮像面における評価エリアの割り当て状態の一例を示す図解図である。
【図４】図２実施例の動作の一部を示す図解図である。
【図５】図２実施例に適用されるＬＣＤモニタと操作者の指との位置関係の一例を示す図解図である。
【図６】（Ａ）は図２実施例に適用されるＬＣＤモニタの表示状態の一例を示す図解図であり、（Ｂ）は図２実施例に適用されるＬＣＤモニタの表示状態の他の一例を示す図解図である。
【図７】図２実施例に適用されるＣＰＵの動作の一部を示すフロー図である。
【図８】図２実施例に適用されるＣＰＵの動作の他の一部を示すフロー図である。
【図９】図２実施例に適用されるＣＰＵの動作のその他の一部を示すフロー図である。
【図１０】図２実施例に適用されるＣＰＵの動作のさらにその他の一部を示すフロー図である。
【図１１】この発明の他の実施例の構成を示すブロック図である。
【発明を実施するための形態】
【００１７】
以下、この発明の実施の形態を図面を参照しながら説明する。
［基本的構成］
【００１８】
図１を参照して、この実施例の表示制御装置は、基本的に次のように構成される。第１表示手段１は、第１画像を画面７に表示する。第２表示手段２は、第２画像を画面７に表示する。判別手段３は、画面７の近傍に物体が存在するか否かを繰り返し判別する。制御手段４は、判別手段３の肯定的な判別結果に基づいて第２画像を表示し、判別手段３の否定的な判別結果に基づいて第２画像を非表示にする。受け付け手段５は、第２画像の表示に関連して画面７へのタッチ操作を受け付ける。処理手段６は、受け付け手段５によって受け付けられたタッチ操作の態様に応じて異なる処理を実行する。
【００１９】
画面７から物体が離れている間は、第１画像および第２画像のうち第１画像のみが画面７に表示される。これによって、第１画像の視認性が向上する。画面７に物体が近づくと、第１画像および第２画像の両方が画面７に表示され、第２画像を参照したタッチ操作が可能となる。これによって操作性が向上する。つまり、画面７と物体との距離関係に応じて画面７の表示態様を変更することで第１画像の視認性の向上と操作性の向上との両立が可能となり、これによって動作性能の向上が図られる。
［実施例］
【００２０】
図２を参照して、この実施例のディジタルカメラ１０は、ドライバ２０ａ，２０ｂおよび２０ｃによってそれぞれ駆動されるズームレンズ１２，フォーカスレンズ１４および絞りユニット１６を含む。被写界の光学像は、これらの部材を通してイメージセンサ１８の撮像面に照射される。
【００２１】
電源が投入されると、ＣＰＵ４４は、撮像タスクの下で動画取り込み処理を実行するべく、対応する命令をドライバ２０ｄに与える。ドライバ２０ｄは、周期的に発生する垂直同期信号Ｖｓｙｎｃに応答して、撮像面を露光し、これによって生成された電荷をラスタ走査態様で撮像面から読み出す。この結果、被写界を表す生画像データが、イメージセンサ１８から繰り返し出力される。
【００２２】
前処理回路２２は、イメージセンサ１８からの生画像データにディジタルクランプ，画素欠陥補正，ゲイン制御などの処理を施す。このような前処理を施された生画像データは、メモリ制御回路２６を通してＳＤＲＡＭ２８の生画像エリア２８ａに書き込まれる。
【００２３】
後処理回路３０は、メモリ制御回路２６を通して生画像エリア２８ａにアクセスし、生画像データを繰り返し読み出す。読み出された生画像データは色分離，白バランス調整，ＹＵＶ変換などの処理を施され、これによってＹＵＶ形式の画像データが作成される。作成された画像データは、メモリ制御回路２６を通してＳＤＲＡＭ２８のＹＵＶ画像エリア２８ｂに書き込まれる。
【００２４】
ＬＣＤドライバ３４は、ＹＵＶ画像エリア２８ｂに格納された画像データを繰り返し読み出し、読み出された画像データに基づいてＬＣＤモニタ３６を駆動する。この結果、被写界を表すリアルタイム動画像（スルー画像）がモニタ画面に表示される。
【００２５】
図３を参照して、撮像面には評価エリアＥＶＡが割り当てられる。評価エリアＥＶＡは水平方向および垂直方向の各々において１６分割され、合計２５６個の分割エリアが撮像面にマトリクス状に配置される。前処理回路２２は、評価エリアＥＶＡに属する一部の生画像データを簡易的にＹデータに変換し、変換されたＹデータをＡＥ／ＡＦ評価回路２４に与える。
【００２６】
ＡＥ／ＡＦ評価回路２４は、与えられたＹデータを分割エリア毎に積分し、合計２５６個の積分値を輝度評価値として作成する。ＡＥ／ＡＦ評価回路２４はまた、与えられたＹデータの高周波成分を分割エリア毎に積分し、合計２５６個の積分値をＡＦ評価値として作成する。これらの積分処理は、垂直同期信号Ｖｓｙｎｃが発生する毎に繰り返し実行される。この結果、２５６個の輝度評価値および２５６個のＡＦ評価値が、垂直同期信号Ｖｓｙｎｃに応答してＡＥ／ＡＦ評価回路２４から出力される。
【００２７】
キー入力装置４６に設けられたシャッタボタン４６ｓｈが非操作状態にあるとき、ＣＰＵ４４は、ＡＥ／ＡＦ評価回路２４から出力された輝度評価値を参照して簡易ＡＥ処理を実行し、適正ＥＶ値を算出する。算出された適正ＥＶ値を定義する絞り量および露光時間はドライバ２０ｃおよび２０ｄに設定され、これによってスルー画像の明るさが適度に調整される。
【００２８】
シャッタボタン４６ｓｈが操作されると、ＣＰＵ４４は、輝度評価値を参照した厳格ＡＥ処理を実行し、最適ＥＶ値を算出する。算出された最適ＥＶ値を定義する絞り量および露光時間もまたドライバ２０ｃおよび２０ｄに設定され、これによってスルー画像の明るさが最適値に調整される。ＣＰＵ４４はまた、ＡＥ／ＡＦ評価回路２４から出力されたＡＦ評価値を参照してＡＦ処理を実行する。フォーカスレンズ１２はＡＦ処理によって発見された合焦点に配置され、これによってスルー画像の鮮鋭度が向上する。
【００２９】
ＡＦ処理が完了すると、ＣＰＵ４４は、静止画取り込み処理の実行をメモリ制御回路２６に命令し、記録処理の実行をメモリＩ／Ｆ４０に命令する。メモリ制御回路２６は、ＹＵＶ画像エリア２８ｂに格納された最新の１フレームの画像データを静止画像エリア２８ｃに退避させる。また、メモリＩ／Ｆ４０は、静止画像エリア２８ｃに退避された画像データをメモリ制御回路２６を通して読み出し、読み出された画像データをファイル形式で記録媒体４２に記録する。
【００３０】
図４を参照して、ＬＣＤモニタ３６はカメラ筐体ＣＢの背面の略中央に設けられる。また、距離センサ４８は、カメラ筐体ＣＢの背面の左下に設けられる。距離センサ４８の出力は、物体（たとえば操作者の指）が検知範囲に存在しないときＬレベルを示し、物体が検知範囲に存在するときＨレベルを示す。ここで、検知範囲は、距離センサ４８からの距離が閾値ＴＨを下回る範囲に相当する（図５参照）。したがって、距離センサ４８の出力は、操作者の指がＬＣＤモニタ３６に接近したときに立ち上がり、操作者の指がＬＣＤモニタ３６から離れたときに立ち下がる。
【００３１】
ＣＰＵ４４は、距離センサ４８の出力の立ち上がりに応答して、ズーム操作のためのアイコンＩＣＮ１の表示をグラフィックジェネレータ３２に命令ないし要求する。グラフィックジェネレータ３２は、対応するグラフィックデータを作成し、作成されたグラフィックデータをＬＣＤドライバ３４に与える。
【００３２】
ＬＣＤドライバ３４は、ＹＵＶ画像エリア２８ｂから読み出された画像データとグラフィックジェネレータ３２から与えられたグラフィックデータとを混合し、これによって生成された混合画像データに基づいてＬＣＤモニタ３６を駆動する。この結果、アイコンＩＣＮ１がスルー画像にＯＳＤ態様で表示される。スルー画像が図６（Ａ）に示す要領で表示されているときに距離センサ４８の出力が立ち上がると、アイコンＩＣＮ１は図６（Ｂ）に示す要領でスルー画像に多重される。
【００３３】
表示されたアイコンＩＣＮ１がタッチされると、タッチ位置が記述された検知データがタッチセンサ３８からＣＰＵ４４に与えられる。ＣＰＵ４４は、与えられた検知データに基づいてタッチ操作の態様を特定し、これに対応する命令をドライバ２０ａに与える。この結果、ズームレンズ１２が光軸方向に移動し、スルー画像のズーム倍率が変化する。
【００３４】
操作者の指が検知範囲から外れると、距離センサ４８の出力が立ち下がる。ＣＰＵ４４は、これに応答してタイマ４４ｔのリセット＆スタートを実行し、タイマ４４ｔにタイムアウトが発生したとき（タイマ値がたとえは２秒に達したとき）にアイコンＩＣＮの非表示（表示の中断）をグラフィックジェネレータ３２に命令ないし要求する。グラフィックジェネレータ３２はグラフィックデータの出力を停止し、この結果、ＬＣＤモニタ３６の表示が図６（Ｂ）から図６（Ａ）に戻る。
【００３５】
ＣＰＵ４４は、図７〜図９に示す撮像制御タスクおよび図１０に示すズーム制御タスクを含む複数のタスクをマルチタスクＯＳの制御の下で並列的に実行する。なお、これらのタスクに対応する制御プログラムは、フラッシュメモリ５０に記憶される。
【００３６】
図７を参照して、ステップＳ１では動画取り込み処理を実行する。これによって、スルー画像がＬＣＤモニタ３６に表示される。ステップＳ３では、アイコンＩＣＮ１の非表示を表明するべく、フラグＦＬＧ＿Ｄを“０”に設定する。ステップＳ５では、操作者の指などの物体がＬＣＤモニタ３６の近傍（＝検知範囲）に存在するか否かを距離センサ４８の出力に基づいて判別する。判別結果がＹＥＳであればステップＳ７に進み、判別結果がＮＯであればステップＳ１３に進む。
【００３７】
ステップＳ７ではフラグＦＬＧ＿Ｄが“０”であるか否かを判別し、判別結果がＮＯであればそのままステップＳ２５に進む一方、判別結果がＹＥＳであればステップＳ９〜Ｓ１１の処理を経てステップＳ２５に進む。ステップＳ９では、アイコンＩＣＮ１を表示するべく、対応する命令ないし要求をグラフィックジェネレータ３２に与える。ステップＳ１１では、アイコンＩＣＮ１の表示を表明するべく、フラグＦＬＧ＿Ｄを“１”に設定する。
【００３８】
ステップＳ１３ではフラグＦＬＧ＿Ｄが“１”を示すか否かを判別し、判別結果がＮＯであればそのままステップＳ１７に進む一方、判別結果がＹＥＳであればステップＳ１５でタイマ４４ｔのリセット＆スタートを実行してからステップＳ１７に進む。ステップＳ１７ではタイマ４４ｔにタイムアウトが生じたか否かを判別し、判別結果がＮＯであればそのままステップＳ２５に進む一方、判別結果がＹＥＳであればステップＳ１９〜Ｓ２３の処理を経てステップＳ２５に進む。
【００３９】
ステップＳ１９では、アイコンＩＣＮ１の非表示（表示の中断）をグラフィックジェネレータ３２に命令ないし要求する。グラフィックジェネレータ３２は対応するグラフィックデータの出力を停止し、これによってアイコンＩＣＮ１が非表示となる。ステップＳ２１ではフラグＦＬＧ＿Ｄを“０”に設定し、ステップＳ２３ではタイマ４４ｔを停止させる。
【００４０】
ステップＳ２５ではシャッタボタン４６ｓｈが操作されたか否かを判別し、判別結果がＮＯであればステップＳ３３に進む一方、ＹＥＳであればステップＳ２７に進む。ステップＳ３３では、ＡＥ／ＡＦ評価回路２４から出力された輝度評価値に基づく簡易ＡＥ処理を実行する。これによって、スルー画像の明るさが適度に調整される。ステップＳ３３の処理が完了すると、ステップＳ５に戻る。
【００４１】
ステップＳ２７では、ＡＥ／ＡＦ評価回路２４から出力された輝度評価値に基づく厳格ＡＥ処理を実行する。これによって、スルー画像の明るさが最適値に調整される。ステップＳ２９では、ＡＥ／ＡＦ評価回路２４から出力されたＡＦ評価値に基づくＡＦ処理を実行する。これによって、スルー画像の鮮鋭度が向上する。
【００４２】
ステップＳ２９では静止画取り込み処理を実行し、ステップＳ３１では記録処理を実行する。シャッタボタン４６ｓｈが操作された時点の被写界を表す画像データは、静止画取り込み処理によって静止画像エリア２８ｃに退避され、記録処理によって記録媒体４２に記録される。ステップＳ３１の処理が完了すると、ステップＳ５に戻る。
【００４３】
図１０を参照して、ステップＳ４１ではＬＣＤモニタ３６の画面がタッチされたか否かを判別し、ステップＳ４３ではタッチ位置にアイコンＩＣＮ１が存在するか否かを判別する。いずれの判別処理も、タッチセンサ３８の出力に基づいて行われる。ステップＳ４１の判別結果およびステップＳ４３の判別結果のいずれもＹＥＳであれば、ステップＳ４５に進む。ステップＳ４５では、タッチ操作に従う方向にズーム倍率を変更するべく、ズームレンズ１２を移動させる。ステップＳ４５の処理が完了すると、ステップＳ４１に戻る。
【００４４】
以上の説明から分かるように、スルー画像は、前処理回路２２，後処理回路３０の処理を経て、ＬＣＤドライバ３４によってＬＣＤモニタ３６に表示される。また、アイコンＩＣＮ１は、グラフィックジェネレータ３２およびＬＣＤＬＣＤモニタ３４によってＬＣＤＬＣＤモニタ３６に表示される。ＣＰＵ４４は、ＬＣＤモニタ３６の画面の近傍に操作者の指が存在するか否かをスルー画像の表示処理に関連して繰り返し判別し(S5)、肯定的な判別結果に基づいてアイコンＩＣＮ１を表示する一方(S9)、否定的な判別結果に基づいてアイコンＩＣＮ１の表示を停止する(S17, S19)。ＣＰＵ４４はまた、表示されたアイコンＩＣＮ１へのタッチ操作を受け付け(S41~S43)、このタッチ操作に従う態様でズーム倍率を変更する(S45)。
【００４５】
このように、画面から指が離れている間は、スルー画像およびアイコンＩＣＮ１のうちスルー画像のみが画面に表示される。これによって、スルー画像の視認性が向上する。画面に指が近づくと、スルー画像およびアイコンＩＣＮ１の両方が画面に表示され、アイコンＩＣＮ１を参照したタッチ操作が可能となる。これによって操作性が向上する。つまり、画面と指との距離関係に応じて画面の表示態様を変更することでスルー画像の視認性の向上と操作性の向上とを両立が可能となり、これによって動作性能の向上が図られる。
【００４６】
なお、この実施例では、距離センサ４８によって操作者の指の接近を検知するようにしている。しかし、操作者の指を表す画像を検知するイメージセンサ、或いは指に相当する形状と人の体温に相当する温度とを有するエリアを検知する温度センサによって、操作者の指の接近を検知するようにしてもよい。
【００４７】
また、この実施例では、ズーム操作のためのアイコンＩＣＮ１をスルー画像上に多重することを想定しているが、他の撮像条件を調整するためのアイコンを多重するようにしてもよい。さらに、この実施例では、撮像モードの下でのアイコンの多重表示を想定しているが、再生モードの下で再生された静止画像または動画像に再生制御操作のためのアイコンを多重するようにしてもよい。
【００４８】
また、この実施例では、タッチ操作の対象としてアイコンを想定しているが、所望のテキストを入力するためのタッチ式のキーボード画像をタッチ操作の対象として想定するようにしてもよい。
【００４９】
また、この実施例では、ディジタルカメラを想定しているが、この発明は、画像を表示する画面を有する携帯型のあらゆる電子機器に適用することができる。
【００５０】
さらに、この実施例では、マルチタスクＯＳおよびこれによって実行される複数のタスクに相当する制御プログラムは、フラッシュメモリ５０に予め記憶される。しかし、図１１に示すように通信Ｉ／Ｆ５２をディジタルカメラ１０に設け、一部の制御プログラムを内部制御プログラムとしてフラッシュメモリ５０に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００５１】
また、この実施例では、ＣＰＵ４４によって実行される処理を図７〜図９に示す撮像制御タスクおよび図１０に示すズーム制御タスクを含む複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００５２】
１０  …ディジタルカメラ
１８  …イメージセンサ
３０  …後処理回路
３２  …グラフィックジェネレータ
３６  …ＬＣＤモニタ
３８  …タッチセンサ
４４  …ＣＰＵ
【図１】
2012108838.tif 000003
【図２】
2012108838.tif 000004
【図３】
2012108838.tif 000005
【図４】
2012108838.tif 000006
【図５】
2012108838.tif 000007
【図６】
2012108838.tif 000008
【図７】
2012108838.tif 000009
【図８】
2012108838.tif 000010
【図９】
2012108838.tif 000011
【図１０】
2012108838.tif 000012
【図１１】
2012108838.tif 000013
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
第１画像を画面に表示する第１表示手段、
第２画像を前記画面に表示する第２表示手段、
前記画面の近傍に物体が存在するか否かを繰り返し判別する判別手段、
前記判別手段によって前記画面の近傍に物体が存在すると判別された場合に、前記第２画像を表示し、
前記判別手段によって前記画面の近傍に物体が存在しないと判別された場合に、前記第２画像を非表示にし、
前記第２画像の表示に関連して前記画面へのタッチ操作を受け付ける受け付け手段、および
前記受け付け手段によって受け付けられたタッチ操作の態様に応じて異なる処理を実行する処理手段を備える、表示制御装置。
【請求項２】
被写界を捉える撮像手段をさらに備え、
前記第１表示手段によって表示される第１画像は前記撮像手段によって捉えられた被写界を表す画像に相当する、請求項１記載の表示制御装置。
【請求項３】
前記第２表示手段によって表示される第２画像は撮像設定のためのキャラクタ画像に相当する、請求項２記載の表示制御装置。
【請求項４】
前記判別手段の否定的な判別結果が継続する期間を測定する測定手段をさらに備え、
前記測定手段によって測定された期間が閾値に達した時点で前記第２画像を非表示にす
るようにした、請求項１ないし３のいずれかに記載の表示制御装置。
【請求項５】
第１画像を画面に表示する第１表示手段、および第２画像を前記画面に表示する第２表示手段を備える表示制御装置のプロセッサに、
前記画面の近傍に物体が存在するか否かを繰り返し判別する判別ステップ、
前記判別ステップによって前記画面の近傍に物体が存在すると判別された場合に前記第２画像を表示する表示ステップ、
前記判別ステップによって前記画面の近傍に物体が存在しないと判別された場合に前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを実行させるための、表示制御プログラム。
【請求項６】
第１画像を画面に表示する第１表示手段、および第２画像を前記画面に表示する第２表示手段を備える表示制御装置によって実行される表示制御方法であって、
前記画面の近傍に物体が存在するか否かを繰り返し判別する判別ステップ、
前記判別ステップによって前記画面の近傍に物体が存在すると判別された場合に前記第２画像を表示する表示ステップ、
前記判別ステップによって前記画面の近傍に物体が存在しないと判別された場合に前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを備える、表示制御方法。
【請求項７】
第１画像を画面に表示する第１表示手段、
第２画像を前記画面に表示する第２表示手段、および
メモリに保存された内部制御プログラムに従う処理を実行するプロセッサを備える表示制御装置に供給される外部制御プログラムであって、
前記画面の近傍に物体が存在するか否かを繰り返し判別する判別ステップ、
前記判別ステップによって前記画面の近傍に物体が存在すると判別された場合に前記第２画像を表示する表示ステップ、
前記判別ステップによって前記画面の近傍に物体が存在しないと判別された場合に前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを前記内部制御プログラムと協働して前記プロセッサに実行させるための、外部制御プログラム。
【請求項８】
第１画像を画面に表示する第１表示手段、
第２画像を前記画面に表示する第２表示手段、
外部制御プログラムを取り込む取り込み手段、および
前記取り込み手段によって取り込まれた外部制御プログラムとメモリに保存された内部制御プログラムに従う処理を実行するプロセッサを備える表示制御装置であって、
前記外部制御プログラムは、
前記画面の近傍に物体が存在するか否かを繰り返し判別する判別ステップ、
前記判別ステップによって前記画面の近傍に物体が存在すると判別された場合に前記第２画像を表示する表示ステップ、
前記判別ステップによって前記画面の近傍に物体が存在しないと判別された場合に前記第２画像を非表示とする非表示ステップ、
前記第２画像の表示に関連して前記画面へのタッチ操作を受け付ける受け付けステップ、および
前記受け付けステップによって受け付けられたタッチ操作の態様に応じて異なる処理を実行する処理ステップを前記内部制御プログラムと協働して実行するプログラムに相当する、表示制御装置。
【請求項９】
被写体の光学像を画面に表示する第１表示手段、
撮影又は再生に関連する情報を前記画面に表示する第２表示手段、
前記画面の近傍に物体が存在するか否かを繰り返し判別する判別手段、および
前記判別手段によって、前記画面の近傍に物体が存在すると判別された場合に前記撮影又は再生に関連する情報を表示し、前記判別手段によって前記画面の近傍に物体が存在しないと判別された場合に、前記撮影又は再生に関連する情報を非表示にする処理手段を備える、表示制御装置。
【請求項１０】
前記第２表示手段によって表示される情報は、前記第１表示手段によって表示された光学像に重畳する態様で表示される、請求項９記載の表示制御装置。